(57)【特許請求の範囲】
【請求項１】
パネル２のアンカー溝３とアンカーナット４の外周面の空間に挿設され、アンカーナット４を固定するアンカーナット用スリーブにおいて、
前記アンカーナット用スリーブ１は、スプリングからなり、前記スプリングは前記空間を埋めるための弾性体スペーサとして機能するように設置され、且つアンカーナット４の前記外周面に沿って下方へ押圧することにより、アンカーナット４本体のネジ頭傾斜面をつぶして拡張させながら密着させたアンカースリーブ５０と共に、アンカーナット４がパネル２から離脱しないようにすることを特徴とするアンカーナット用スリーブ。
【請求項２】
前記アンカーナット用スリーブ１のスプリングは、細い棒からできた平たいコイルスプリングであり、前記コイルスプリングは前記空間を埋めるための弾性体スペーサとして機能するように設置され、且つアンカーナット4の前記外周面に沿って下方へ押圧することにより、アンカーナット４本体のネジ頭傾斜面をつぶして拡張させながら密着させたアンカースリーブ５０と共に、アンカーナット４がパネル２から離脱しないようにすることを特徴とする請求項１に記載のアンカーナット用スリーブ。
【発明の詳細な説明】
【技術分野】
【０００１】
本発明は、アンカーナット用スリーブに関するものであって、より詳細にはコンクリート構造物の壁面にパネル(特に、セラミックパネル)等を設置するために使用されるアンカーナットに用いられるスリーブで、特にアンカーナットの外周面とパネルの溝との間の空間にスリーブを精巧かつ容易に挿設することによりアンカーナットがパネルから離脱することなく、その位置を確固にできるようにして、特に振動(地震)のような外部の衝撃を効率よく吸収除去してパネルが建築物の外壁から抜けないように耐震に適合したアンカーナット用スリーブに関するものである。
【背景技術】
【０００２】
一般的に、建築物の外壁に固定されるパネルのアンカー溝にアンカーナットを固定するアンカースリーブ５０は図５に示されているように、打込み時にアンカーナット５１の本体５２のネジ頭５３の傾斜面をつぶして拡張させながら密着させて、アンカーナット５１がパネル５４から離脱しないようにする部品で、その種類としては、図６に図示されているように、円筒形の管状を有する円筒形アンカースリーブと細い棒がジグザグに続いて形成された棒状のアンカースリーブがある。
【０００３】
しかし、前記のような従来のアンカースリーブは厚みがあり弾性を持ち合わせていないため一般の石材パネルには容易に用いられるが、石材パネルに比べて薄い(約1/2の厚み)セラミックパネルに適用するには問題点があった。
【０００４】
前記のように、セラミックパネルに従来のアンカースリーブが適用されにくいのは、アンカースリーブを打込みアンカーナットとパネルの溝間に密着するときに打込まれるアンカースリーブの端がパネルの溝の底部を打撃して、前記打撃衝撃により厚さが薄いセラミックパネルが破損してしまうためで、従来のアンカースリーブは前記打撃衝撃を吸収できる弾性を有しづらいことが要因の一つであるためであった。
【０００５】
本発明者は前記の従来の問題点を解決するために、先に出願されたアンカーナット用スリーブ(２００６.０１.１７日付出願)を提案し、アンカーナットの頭部とパネルの溝との間の空間にアンカースリーブを精巧かつ容易に挿設することでアンカーナットがパネルの溝から離脱することなく、その位置を確固にできるようにして、アンカースリーブを打込む時にアンカースリーブによる衝撃によってパネルが破損しないように弾性を有して衝撃を容易に吸収できるようにしたアンカーナット用スリーブを提供した。
【０００６】
前記のような本発明者のアンカースリーブは、パネルのアンカー溝にアンカーナットを固定するアンカースリーブにおいて、前記スリーブは細い棒からできた平たいコイルからなることを特徴としている。
【発明の開示】
【発明が解決しようとする課題】
【０００７】
しかし、前記従来のアンカーナット用スリーブと本発明者の先に出願されたアンカーナット用スリーブは、アンカーナットの外周面とパネルの溝との間の空間に内在されたスリーブが外部からの振動(地震等)に効率よく対処できず耐震による衝撃によってパネルが建築物の外壁から離脱し不安定であるという問題点があった。
【０００８】
本発明は前記従来の問題点を解決するために案出されたものであって、本発明の目的はコンクリート構造物の壁面にパネル(特にセラミックパネル)等を設置するために使用されるアンカーナットに用いられるスリーブで、特にアンカーナットの外周面とパネルの溝との間の空間にスリーブを精巧かつ容易に挿設することでアンカーナットがパネルの溝から離脱することなく、その位置を確固にできるようにして、特に振動(地震)のような外部の衝撃を効率よく吸収除去してパネルが建築物の外壁から抜けないように耐震に適合したアンカーナット用スリーブを提供することにある。
【発明の効果】
【０００９】
前記のように、本発明のアンカーナット用スリーブは、コンクリート構造物の壁面にパネル(特にセラミックパネル)等を設置するために使用されるアンカーナットに用いられるスリーブであって、特にアンカーナットの外周面とパネルの溝との間の空間にスリーブを精巧かつ容易に挿設することでアンカーナットがパネルの溝から離脱することなく、その位置を確固にできるようにし、特に振動(地震)のような外部の衝撃を効率よく吸収除去してパネルが建築物の外壁から抜けないよう耐震に適合する効果がある。
【発明を実施するための最良の形態】
【００１０】
以下、添付の図面を参照しながら本発明のアンカーナット用スリーブを詳細に説明する。
【００１１】
図１及び図２は、発明に係る一実施例によるアンカーナット用スリーブを示す図面であり、本実施例のアンカーナット用スリーブ１はパネル２のアンカー溝３とアンカーナット４の外周面の空間に挿設され、アンカーナット４を固定するアンカーナット用スリーブにおいて、前記アンカーナット用スリーブ１はスプリングからなっている。
【００１２】
前記アンカー溝３には上側内周面とアンカーナット４の上段外周面の間には前記スリーブ１が抜けないようにしてアンカーナット４をアンカー溝３の上側で固定できるようになった中央にアンカーナット４の上段が挿設される貫通孔７を有し、外周面はアンカー溝３の内周面に密着された固定板８が備わった板状の支持部材９が備わっていることが好ましい。
【００１３】
前記のように成り立つ本実施例のアンカーナット用スリーブ１は、図２で図示されているように、アンカーナット４をパネルのアンカー溝３に固定するのに用いられ、外部の振動(地震)が発生した時にアンカーナットを介してパネルに伝わる振動をスプリングからなるアンカーナット用スリーブが吸収して除去し、パネルに振動が減衰された状態で伝わることで、安全に建築物の外壁がその位置を確固に固守できるようになっている。
【００１４】
また図３は、本発明に係る別の実施例によるアンカーナット用スリーブを示す図面であって、本実施例のアンカーナット用スリーブ１を形成するスプリングが細い棒からできた平たいコイルからなることもあり、図４に図示されているように、前記アンカーナット用スリーブ１が、細い棒からできた平たい一対のコイルが積層されてなることもある。
【００１５】
このように、本実施例のアンカーナット用スリーブ１が細い棒からできた平たい一対のコイルからなることは、外部の振動をスプリングの弾性を利用して効率よく相殺できるだけでなく、アンカーナット４を前記アンカー溝３から離脱することなく堅固におさえることにも役立つ。
【図面の簡単な説明】
【００１６】
【図１】本発明に係る一実施例によるアンカーナット用スリーブを示す斜視図である。
【図２】同使用状態の断面図である。
【図３】本発明に係る別の実施例によるアンカーナット用スリーブを示す斜視図である。
【図４】本発明に係るまた別の実施例によるアンカーナット用スリーブを示す斜視図である。
【図５】従来のアンカーナット用スリーブを示す使用状態の断面図である。
【図６】従来のまた別のアンカーナット用スリーブを示す使用状態の断面図である。
【符号の説明】
【００１７】
１：アンカーナット用スリーブ
２：パネル
３：アンカー溝
４：アンカーナット
７：貫通孔
８：固定板
９：支持部材
【図１】
0004642042.tif 000002
【図２】
0004642042.tif 000003
【図３】
0004642042.tif 000004
【図４】
0004642042.tif 000005
【図５】
0004642042.tif 000006
【図６】
0004642042.tif 000007